(57)【要約】【課題】自端末の内部情報操作機能をより簡単にかつ安価に実現することができるネットワーク複合機を提供すること目的とする。【解決手段】ネットワークへ接続して種々のデータをやりとりするデータ通信機能と、前記データ通信機能を用いて自端末の情報を外部装置からアクセス可能にしたＷｅｂサーバ機能と、複数の画像装置機能を備えたネットワーク複合機において、前記Ｗｅｂサーバ機能を利用して自端末の操作を行うＷｅｂブラウザ機能を備えた。【選択図】        図２
2006086951.tif 000002
【特許請求の範囲】
【請求項１】
ネットワークへ接続して種々のデータをやりとりするデータ通信機能と、前記データ通信機能を用いて自端末の情報を外部装置からアクセス可能にしたＷｅｂサーバ機能と、複数の画像装置機能を備えたネットワーク複合機において、
前記Ｗｅｂサーバ機能を利用して自端末の操作を行うＷｅｂブラウザ機能を備えたこと特徴とするネットワーク複合機。
【請求項２】
前記Ｗｅｂブラウザ機能により、他の端末装置へアクセスしている場合には、当該アクセス状況を表示することを特徴とする請求項１記載のネットワーク複合機。
【請求項３】
前記Ｗｅｂブラウザ機能により、他の端末装置へのアクセス要求が指示された場合には、当該アクセス要求をアラート表示し、当該アクセス要求を継続実行するか否かを指定操作させることを特徴とする請求項１または請求項２記載のネットワーク複合機。
【請求項４】
前記Ｗｅｂブラウザ機能により、他の端末装置へアクセスしている場合には、当該アクセス状況を表示する表示器をさらに備えたことを特徴とする請求項１記載のネットワーク複合機。
【請求項５】
前記Ｗｅｂブラウザ機能により、他の端末装置へアクセスしている場合には、当該アクセス状況を音声通知する音声応答手段をさらに備えたことを特徴とする請求項１記載のネットワーク複合機。
【発明の詳細な説明】
【技術分野】
【０００１】
本発明は、ネットワークへ接続して種々のデータをやりとりするデータ通信機能と、前記データ通信機能を用いて自端末の情報を外部装置からアクセス可能にしたＷｅｂサーバ機能と、複数の画像装置機能を備えたネットワーク複合機に関する。
【背景技術】
【０００２】
従来、ネットワークへ接続して種々のデータをやりとりするデータ通信機能を備えた複合機において、自端末の情報を外部装置からアクセス可能にしたＷｅｂサーバ機能を備えたものが提案されている（特許文献１参照）。
【０００３】
このようなネットワーク複合機では、ネットワークを介して接続したデータ処理装置（例えば、パーソナルコンピュータ装置など）から、Ｗｅｂブラウザアプリケーションを用いて、装置内部の情報を取得することができるので、非常に便利である。
【特許文献１】特開２００１−１７５３８２号公報
【発明の開示】
【発明が解決しようとする課題】
【０００４】
しかしながら、このような従来装置では、ネットワーク複合機が自端末の内部情報を取得操作する際の操作機能を、単独で構成していたため、自端末に対して内部情報を操作するための機能と、Ｗｅｂサーバ機能により外部装置へ内部情報を提供する機能との両方を作り込む必要があり、開発の工数が増えるとともにコストが高くなると言う不具合を生じるおそれがあった。
【０００５】
本発明は、かかる実情に鑑みてなされたものであり、自端末の内部情報操作機能をより簡単にかつ安価に実現することができるネットワーク複合機を提供すること目的とする。
【課題を解決するための手段】
【０００６】
本発明は、ネットワークへ接続して種々のデータをやりとりするデータ通信機能と、前記データ通信機能を用いて自端末の情報を外部装置からアクセス可能にしたＷｅｂサーバ機能と、複数の画像装置機能を備えたネットワーク複合機において、前記Ｗｅｂサーバ機能を利用して自端末の操作を行うＷｅｂブラウザ機能を備えたものである。
【０００７】
また、前記Ｗｅｂブラウザ機能により、他の端末装置へアクセスしている場合には、当該アクセス状況を表示するようにしたものである。
【０００８】
また、前記Ｗｅｂブラウザ機能により、他の端末装置へのアクセス要求が指示された場合には、当該アクセス要求をアラート表示し、当該アクセス要求を継続実行するか否かを指定操作させるようにしたものである。
【０００９】
また、前記Ｗｅｂブラウザ機能により、他の端末装置へアクセスしている場合には、当該アクセス状況を表示する表示器をさらに備えたものである。
【００１０】
また、前記Ｗｅｂブラウザ機能により、他の端末装置へアクセスしている場合には、当該アクセス状況を音声通知する音声応答手段をさらに備えたものである。
【発明の効果】
【００１１】
したがって、本発明によれば、Ｗｅｂブラウザ機能を用いて、自端末のＷｅｂサーバ機能へ情報の取得等を要求操作することができるので、自端末の内部情報操作機能をより簡単に実現することができ、開発の工数およびコストを低減することができるという効果を得る。
【発明を実施するための最良の形態】
【００１２】
以下、添付図面を参照しながら、本発明の実施の形態を詳細に説明する。
【００１３】
図１は、本発明の一実施例にかかるネットワークシステムを示している。
【００１４】
同図において、ローカルエリアネットワークＬＡＮには、複数のワークステーション装置ＷＳ１〜ＷＳｎ、メールサーバ装置ＳＭ、および、ネットワーク複合機ＮＸが接続されているとともに、ルータ装置ＲＴを介してインターネットへ接続されている。したがって、ワークステーション装置ＷＳ１〜ＷＳｎ、サーバ装置ＳＭ、および、ネットワーク複合機ＮＸは、インターネットを介し、他の適宜な端末装置との間でデータをやりとりすることができる。
【００１５】
ここで、サーバ装置ＳＭは、ローカルエリアネットワークＬＡＮに接続されているワークステーション装置ＷＳ１〜ＷＳｎを利用するユーザ、および、ネットワークネットワーク複合機ＮＸに対して、周知の電子メールの収集および配布のサービスを提供する電子メールサーバ機能、および、ＤＮＳ機能等の種々のサーバ機能を備えたものである。
【００１６】
また、ワークステーション装置ＷＳ１〜ＷＳｎには、ローカルに文書を作成するためのアプリケーションや、電子メールをやりとりするアプリケーション、あるいは、ローカルエリアネットワークＬＡＮを介してＷｅｂサーバへ接続し、Ｗｅｂサーバが提供する種々の情報を閲覧するＷｅｂブラウザなどの種々のプログラムが導入されており、特定のユーザにより使用されるものである。ここで、特定のユーザは、一人または複数人のユーザであってよい。
【００１７】
また、ネットワーク複合機ＮＸは、自端末の内部情報をローカルエリアネットワークＬＡＮを介して外部装置へ提供するＷｅｂサーバ機能、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行う伝送機能を備えている。
【００１８】
図２は、ネットワーク複合機ＮＸの構成例を示している。
【００１９】
同図において、システム制御部１は、このネットワーク複合機ＮＸの各部の制御処理、および、ファクシミリ伝送制御手順処理等の各種制御処理を行うとともに、自端末の内部情報を参照するためのＷｅｂブラウザ処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク複合機ＮＸに固有な各種の情報を記憶するためのものであり、時計回路４は、現在時刻情報を出力するものである。
【００２０】
スキャナ５は、所定の解像度で原稿画像を読み取るためのものであり、プロッタ６は、所定の解像度で画像を記録出力するためのものであり、操作表示部７は、このネットワーク複合機ＮＸを操作するためのもので、各種の操作キー、および、各種の表示器からなる。また、本実施例では、操作表示部７がＷｅｂブラウザの操作表示手段として用いられるため、表示器としては、Ｗｅｂブラウザが情報表示するために必要な画面サイズを備えた液晶表示器が用いられる。また、Ｗｅｂブラウザの表示項目を操作するためのタッチパネル手段が、液晶表示器の表示画面に設けられる。
【００２１】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２２】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２３】
網制御装置１１は、このネットワーク複合機ＮＸをアナログ公衆回線網ＰＳＴＮに接続するためのものであり、自動発着信機能を備えている。
【００２４】
ローカルエリアネットワークインターフェース回路１２は、このネットワーク複合機ＮＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２５】
Ｗｅｂサービス処理部１４は、Ｗｅｂサーバ機能を実現するためのものである。例えば、通信プロトコルに関しては、ＨＴＴＰ処理機能などを備える。また、公開する情報の処理に関しては、ＸＭＬ処理機能、ＨＴＭＬ処理機能、ＣＧＩ機能など、Ｗｅｂサーバ機能を実現する際に必要な適宜な処理機能を備える。
【００２６】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、ローカルエリアネットワーク伝送制御部１３、および、Ｗｅｂサービス処理部１４は、内部バス１５に接続されており、これらの各要素間でのデータのやりとりは、主としてこの内部バス１５を介して行われている。
【００２７】
また、網制御装置１１とグループ３ファクシミリモデム１０との間のデータのやりとりは、直接行なわれている。
【００２８】
さて、本実施例では、ネットワーク複合機ＮＸは、ローカルエリアネットワークＬＡＮを介してワークステーション装置ＷＳ１〜ＷＳｎから、あるいは、ルータ装置ＲＴを介してインターネットに接続されている適宜な端末装置から、Ｗｅｂサービス要求を受ける。
【００２９】
それにより、ネットワーク複合機ＮＸのＷｅｂサービス処理部１４が応答して、所定のＷｅｂサービス処理を実行し、あらかじめ設定された公開情報項目の内容を、Ｗｅｂサービス要求元へ送信する。
【００３０】
また、ネットワーク複合機ＮＸは、操作表示部７からＷｅｂブラウザを起動することができ、そのＷｅｂブラウザを用いて、ローカルエリアネットワークＬＡＮを介し、さらには、ルータ装置ＲＴを介してインターネットに接続されている他の端末に対してアクセスすることができる。
【００３１】
また、ネットワーク複合機ＮＸは、いわゆるローカルホスト機能を備えており、Ｗｅｂブラウザを用いて、自端末のＷｅｂサーバへアクセスすることができる。
【００３２】
したがって、ネットワーク複合機ＮＸのユーザは、Ｗｅｂブラウザを用い、自端末にあらかじめ設定された公開情報項目の内容、および、ユーザ制限されている情報項目の内容を、適宜にアクセスして表示させるようにすることができる。
【００３３】
図３は、Ｗｅｂブラウザを起動する際の処理の一例を示している。
【００３４】
Ｗｅｂブラウザが起動されると（処理１０１）、アクセス先を調べる（処理１０２）。通常、自端末のアドレスとしては、例えば「ｈｔｔｐ：／／ｌｏｃａｌｈｏｓｔ／」という固定値が使用されるので、この自端末のアドレスであるかどうかを判断する（判断１０３）。
【００３５】
判断１０３の結果がＹＥＳになるときには、自端末のリソース（設定された公開情報項目）へアクセスを行い（処理１０４）、それ以降は、所定のＷｅｂブラウザ処理を行う（処理１０５）。
【００３６】
また、判断１０３の結果がＮＯになるときには、指定されたアドレスへローカルエリアネットワーク伝送制御部１３等を用いてアクセスし（処理１０６）、処理１０５へ移行して、所定のＷｅｂブラウザ処理を行う。
【００３７】
このようにして、本実施例では、Ｗｅｂブラウザ機能を用いて、Ｗｅｂサーバ機能により情報を公開する機能を利用することができるので、自端末の情報を参照する際のフロントエンド手段としてＷｅｂブラウザ機能を活用することができる。
【００３８】
ところで、Ｗｅｂブラウザ機能を用いて、外部装置へアクセスすることができるとともに、自端末の情報を参照することができるので、Ｗｅｂブラウザの表示画面には、外部装置へアクセスしている際には、例えば、図４（ａ）に示すようなアラート画面ＡＬを、通常表示画面ＤＰに付設して表示することで、外部装置へのアクセス状況を強調表示するとよい。それにより、ユーザは、自端末の操作を行っているか、他の装置のアクセスを行っているかを明確に区別することができ、誤操作を防止することができることとなる。
【００３９】
図５は、この場合に、Ｗｅｂブラウザを起動する際の処理の一例を示している。
【００４０】
Ｗｅｂブラウザが起動されると（処理２０１）、アクセス先を調べる（処理２０２）。通常、自端末のアドレスとしては、例えば「ｈｔｔｐ：／／ｌｏｃａｌｈｏｓｔ／」という固定値が使用されるので、この自端末のアドレスであるかどうかを判断する（判断２０３）。
【００４１】
判断２０３の結果がＹＥＳになるときには、自端末のリソース（設定された公開情報項目）へアクセスを行うとともに（処理２０４）、それ以降は、所定のＷｅｂブラウザ処理を行う（処理２０５）。
【００４２】
また、判断２０３の結果がＮＯになるときには、指定されたアドレスへローカルエリアネットワーク伝送制御部１３等を用いてアクセスするとともに（処理２０６）、操作表示部７の画面に、アラート画面ＡＬを追加表示する状態にする（処理２０６）。その状態で処理２０５へ移行して、所定のＷｅｂブラウザ処理を行う。
【００４３】
また、Ｗｅｂブラウザ機能を用いて、外部装置へアクセスする場合には、例えば、図３（ｂ）に示すように、他の端末へのアクセスが指令された旨を表示するとともに、そのアクセスの実行を継続するか否かを問い合わせるアクセスガイダンスメッセージ画面ＡＤを、通常表示画面の上の表示して、ユーザにアクセスを継続するか否かの指定操作を行わせる。
【００４４】
そして、ユーザがアクセスを継続する旨を指定操作した場合（ＹＥＳを選択）には、指定されたアドレスへアクセスする。また、ユーザがアクセスを継続しない旨を指定操作した場合（ＮＯを選択）には、その時点で、Ｗｅｂブラウザ処理を終了する。これにより、ユーザのアクセス要求を適切に処理させることができる。
【００４５】
図６は、この場合に、Ｗｅｂブラウザを起動する際の処理の一例を示している。
【００４６】
Ｗｅｂブラウザが起動されると（処理３０１）、アクセス先を調べる（処理３０２）。通常、自端末のアドレスとしては、例えば「ｈｔｔｐ：／／ｌｏｃａｌｈｏｓｔ／」という固定値が使用されるので、この自端末のアドレスであるかどうかを判断する（判断３０３）。
【００４７】
判断３０３の結果がＹＥＳになるときには、自端末のリソース（設定された公開情報項目）へアクセスを行うとともに（処理３０４）、所定のＷｅｂブラウザ処理を行う（処理３０５）。
【００４８】
また、判断３０３の結果がＮＯになるときには、上述したようなアクセス問い合わせガイダンスメッセージ画面ＡＤを表示して（処理３０６）、ユーザに対して、アクセスの継続をするか否かを問い合わせる。
【００４９】
これに対し、ユーザがアクセスする旨を選択した場合には（判断３０７の結果がＹＥＳ）、指定されたアドレスへローカルエリアネットワーク伝送制御部１３等を用いてアクセスし（処理３０８）、所定のＷｅｂブラウザ処理を行う（処理３０９）。
【００５０】
また、ユーザがアクセスしない旨を選択した場合には（判断３０７の結果がＮＯ）、Ｗｅｂブラウザ処理を終了して（処理３１０）、指定されたアドレスへアクセスしない。
【００５１】
また、図７に示すように、他の端末へのアクセス中を表示する発光ダイオード７ｂを操作表示部７へ設け、他の端末へのアクセス中には、この発光ダイオード７ｂを点灯表示して、ユーザの注意を喚起するようにしても良い。
【００５２】
図８は、この場合に、Ｗｅｂブラウザを起動する際の処理の一例を示している。
【００５３】
Ｗｅｂブラウザが起動されると（処理４０１）、アクセス先を調べる（処理４０２）。通常、自端末のアドレスとしては、例えば「ｈｔｔｐ：／／ｌｏｃａｌｈｏｓｔ／」という固定値が使用されるので、この自端末のアドレスであるかどうかを判断する（判断４０３）。
【００５４】
判断４０３の結果がＹＥＳになるときには、自端末のリソース（設定された公開情報項目）へアクセスを行うとともに（処理４０４）、それ以降は、所定のＷｅｂブラウザ処理を行う（処理４０５）。
【００５５】
また、判断４０３の結果がＮＯになるときには、指定されたアドレスへローカルエリアネットワーク伝送制御部１３等を用いてアクセスするとともに（処理４０６）、操作表示部７の発光ダイオード７ｂを点灯状態にする（処理４０７）。その状態で処理４０５へ移行して、所定のＷｅｂブラウザ処理を行う。
【００５６】
図９は、ネットワーク複合機ＮＸの構成の他の例を示している。なお、同図において、図２と同一部分および相当する部分には、同一符号を付している。
【００５７】
同図において、システム制御部１は、このネットワーク複合機ＮＸの各部の制御処理、および、ファクシミリ伝送制御手順処理等の各種制御処理を行うとともに、自端末の内部情報を参照するためのＷｅｂブラウザ処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク複合機ＮＸに固有な各種の情報を記憶するためのものであり、時計回路４は、現在時刻情報を出力するものである。
【００５８】
スキャナ５は、所定の解像度で原稿画像を読み取るためのものであり、プロッタ６は、所定の解像度で画像を記録出力するためのものであり、操作表示部７は、このネットワーク複合機ＮＸを操作するためのもので、各種の操作キー、および、各種の表示器からなる。また、本実施例では、操作表示部７がＷｅｂブラウザの操作表示手段として用いられるため、表示器としては、Ｗｅｂブラウザが情報表示するために必要な画面サイズを備えた液晶表示器が用いられる。また、Ｗｅｂブラウザの表示項目を操作するためのタッチパネル手段が、液晶表示器の表示画面に設けられる。
【００５９】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００６０】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００６１】
網制御装置１１は、このネットワーク複合機ＮＸをアナログ公衆回線網ＰＳＴＮに接続するためのものであり、自動発着信機能を備えている。
【００６２】
ローカルエリアネットワークインターフェース回路１２は、このネットワーク複合機ＮＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００６３】
Ｗｅｂサービス処理部１４は、Ｗｅｂサーバ機能を実現するためのものである。例えば、通信プロトコルに関しては、ＨＴＴＰ処理機能などを備える。また、公開する情報の処理に関しては、ＸＭＬ処理機能、ＨＴＭＬ処理機能、ＣＧＩ機能など、Ｗｅｂサーバ機能を実現する際に必要な適宜な処理機能を備える。
【００６４】
また、音声合成処理部１６は、Ｗｅｂブラウザにより他の端末へアクセスしている際、その旨を音声メッセージで通知する音声信号を作成するものであり、その音声メッセージは、スピーカ１７を介して音響出力される。
【００６５】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、ローカルエリアネットワーク伝送制御部１３、Ｗｅｂサービス処理部１４、および、音声合成処理部１６は、内部バス１５に接続されており、これらの各要素間でのデータのやりとりは、主としてこの内部バス１５を介して行われている。
【００６６】
また、網制御装置１１とグループ３ファクシミリモデム１０との間のデータのやりとりは、直接行なわれている。
【００６７】
図１０は、この場合に、Ｗｅｂブラウザを起動する際の処理の一例を示している。
【００６８】
Ｗｅｂブラウザが起動されると（処理５０１）、アクセス先を調べる（処理５０２）。通常、自端末のアドレスとしては、例えば「ｈｔｔｐ：／／ｌｏｃａｌｈｏｓｔ／」という固定値が使用されるので、この自端末のアドレスであるかどうかを判断する（判断５０３）。
【００６９】
判断５０３の結果がＹＥＳになるときには、自端末のリソース（設定された公開情報項目）へアクセスを行うとともに（処理５０４）、それ以降は、所定のＷｅｂブラウザ処理を行う（処理５０５）。
【００７０】
また、判断５０３の結果がＮＯになるときには、指定されたアドレスへローカルエリアネットワーク伝送制御部１３等を用いてアクセスするとともに（処理５０６）、音声合成処理部１６より他の装置へのアクセス状態である旨を通知する音声メッセージを出力させる（処理５０７）。次いで、処理４０５へ移行して、所定のＷｅｂブラウザ処理を行う。
【図面の簡単な説明】
【００７１】
【図１】本発明の一実施例にかかるネットワークシステムを示したブロック図。
【図２】ネットワーク複合機ＮＸの構成例を示したブロック図。
【図３】Ｗｅｂブラウザを起動する際の処理の一例を示したフローチャート。
【図４】表示画面の一例を示した概略図。
【図５】Ｗｅｂブラウザを起動する際の処理の他の例を示したフローチャート。
【図６】Ｗｅｂブラウザを起動する際の処理のさらに他の例を示したフローチャート。
【図７】表示画面の他の例を示した概略図。
【図８】Ｗｅｂブラウザを起動する際の処理のまたさらに他の例を示したフローチャート。
【図９】ネットワーク複合機ＮＸの構成の他の例を示したブロック図。
【図１０】Ｗｅｂブラウザを起動する際の処理の別な例を示したフローチャート。
【符号の説明】
【００７２】
ＮＸ  ネットワーク複合機
【図１】
2006086951.tif 000003
【図２】
2006086951.tif 000004
【図３】
2006086951.tif 000005
【図４】
2006086951.tif 000006
【図５】
2006086951.tif 000007
【図６】
2006086951.tif 000008
【図７】
2006086951.tif 000009
【図８】
2006086951.tif 000010
【図９】
2006086951.tif 000011
【図１０】
2006086951.tif 000012